(57)【特許請求の範囲】
【請求項１】
少なくとも元筒、前記元筒内に摺動自在に収納される先端筒及び前記元筒に設置される鍔と、前記先端筒と前記元筒を伸長状態で固定する解除自在のロック機構を備え、前記鍔は前記元筒に固定された台座部と固定鍔部及び前記元筒の軸を中心に回転自在に設けられた回転鍔部を備えて構成されると共に、前記回転鍔部を一回転方向に押す押圧機構と、前記回転鍔部の位置を維持する解除可能な位置維持機構とを備え、前記押圧機構は、前記台座部に設置された弾性体と前記回転鍔部に設置されたバネ用突起を備えて構成されていることを特徴とする警棒。
【請求項２】
前記位置維持機構は、前記回転鍔部に設置されたボールと該ボールを前記固定鍔部方向に押す弾性体と、前記固定鍔部に形成された前記ボールの一部が挿入されるボール挿入孔を備えて構成されることを特徴とする請求項１に記載の警棒。
【請求項３】
前記回転鍔部の回転を防止する回転防止機構を備えたことを特徴とする請求項１又は２に記載の警棒。
【発明の詳細な説明】
【技術分野】
【０００１】
本発明は、護身用或いは制圧用として用いる伸縮可能な警棒に関する。
【背景技術】
【０００２】
従来から保管や携帯時にはその長さを短縮しておいて、使用時に伸長させる伸縮可能な警棒が提案されている（例えば、特許文献１、２参照。）。この警棒は、中筒内に先端筒を摺動自在に収納すると共に、元筒内に先端筒を収納した中筒を摺動自在に収納する構成である。そして、伸長時には先端筒と中筒、中筒と元筒に夫々設けられたロック機構により先端筒と中筒、中筒と元筒はロックされて夫々伸長状態で固定される一方、収縮させる際にはロック機構のロックを解除して先端筒と中筒を摺動させて収納する構成である。
【０００３】
又、元筒の所定位置には鍔が取り付けられ、鍔には携帯用バンドが取り付けられ、元筒の鍔よりも先端部、即ち伸長時の元筒の一部、中筒及び先端筒を護身部とし、鍔よりも後端部を使用者が把持するグリップ部として構成している。
【０００４】
そして、鍔は元筒から反対の２方向に延びる一字状の形状のほか、４方向に延びる十字状に固定された構成が用いられているが、鍔の形状としては、一字状の形状より十字状の形状の方が警棒を把持した手の保護には適している。しかし、十字状では、携帯時には腰に付けた警棒用保持具に収納して腰に保持するので活動の邪魔になり、又、保管時には場所をとるという欠点があった。
【０００５】
そこで、十字状の場合には、一体的に構成された十字状の構成のほか、略同形状の一文字の形状の２つを組み合わせて、一方の鍔部材を元筒に固定し他方の鍔部材を元筒を中心に手動で回転自在に設置して、一方の鍔部材を回転させることにより使用時には十字状に開き、携帯時には一字状に収納する構成が使用されている。
【先行技術文献】
【特許文献】
【０００６】
【特許文献１】特許第２９７０９００号公報
【特許文献２】特許第３０８７９５４号公報
【発明の概要】
【発明が解決しようとする課題】
【０００７】
しかし、警棒の使用を開始しようとする時は一刻を争う時であり、更に、一瞬たりとも目を離せない状況にある。そのような状況の下で、一方の鍔部材を手動で回転させて鍔を十字状に開く作業に時間を取られたり、両手を使用したり、視線を奪われたりすることは問題がある。
【０００８】
そこで、本発明は手の保護の為に望ましい十字状の鍔を備えた警棒であって、携帯時や保管時には鍔が邪魔にならないと共に、十字状に開く作業が容易で時間を取られず、片手で出来、視線を奪われることがなく、緊急時の使用に対応が出来るようにすることを目的とする。
【課題を解決するための手段】
【０００９】
以上のような課題を解決するための手段としての本発明は、少なくとも元筒、前記元筒内に摺動自在に収納される先端筒及び前記元筒に設置される鍔と、前記先端筒と前記元筒を伸長状態で固定する解除自在のロック機構を備え、前記鍔は前記元筒に固定された台座部と固定鍔部及び前記元筒の軸を中心に回転自在に設けられた回転鍔部を備えて構成されると共に、前記回転鍔部を一回転方向に押す押圧機構と、前記回転鍔部の位置を維持する解除可能な位置維持機構とを備えたことを特徴とする警棒である。
【００１０】
又、上記警棒において、前記押圧機構は、前記台座部に設置された弾性体と前記回転鍔部に設置したバネ用突起を備えて構成されていることを特徴とする警棒である。
【００１１】
又、上記警棒において、前記位置維持機構は、前記回転鍔部に設置されたボールと該ボールを前記固定鍔部方向に押す弾性体と、前記固定鍔部に形成された前記ボールの一部が挿入されるボール挿入孔を備えて構成されることを特徴とする警棒である。
【００１２】
又、上記警棒において、前記回転鍔部の回転を防止する回転防止機構を備えたことを特徴とする警棒である。
【発明の効果】
【００１３】
以上のような本発明によれば、手の保護の為に望ましい十字状の鍔を備えた警棒であっても、携帯時や保管時には鍔が邪魔にならないように一字状に出来ると共に、十字状に開く作業が容易で簡単で時間を取られず、片手で出来、視線を奪われることがなく、緊急時に対応することが可能となった。
【図面の簡単な説明】
【００１４】
【図１】本発明一実施例伸長状態鍔開状態斜視図
【図２】本発明一実施例伸長状態鍔閉状態斜視図
【図３】本発明一実施例収縮状態鍔閉状態斜視図
【図４】鍔の構成部材の図２の状態における状態図
【図５】鍔の図２の状態における側面図
【図６】鍔の構成部材の図１の状態における状態図
【図７】鍔の図１の状態における側面図
【図８】鍔の図１及び図２の状態における断面図
【図９】本発明他実施例の位置維持機構の一部構成を示す断面図
【発明を実施するための形態】
【００１５】
以下本発明の実施の形態を図に従って説明する。本発明は、少なくとも元筒、前記元筒内に摺動自在に収納される先端筒及び前記元筒に設置される鍔と、前記先端筒と前記元筒を伸長状態で固定する解除自在のロック機構を備え、前記鍔は前記元筒に固定された台座部と固定鍔部及び前記元筒の軸を中心に回転自在に設けられた回転鍔部を備えて構成され、前記台座部には前記回転鍔部を一回転方向に押す弾性体を備え、前記回転鍔部の位置を維持する解除可能な位置維持機構を備えた警棒である。
【００１６】
図１に示すように、警棒１は元筒２、先端筒４及び鍔５を備えて構成され、鍔５は元筒２に設置され、鍔５より先端部（図１では左側）、即ち伸長時の元筒２の一部及び先端筒４を護身部１０とし、鍔５よりも後端部（図１では右側）を使用者が把持するグリップ部１１として構成している。警棒１は元筒２及び先端筒４の２本で構成しているが、元筒と先端筒間に中間筒を設けて３本で構成してもよい。
【００１７】
元筒２及び先端筒４は夫々中空状に形成され、元筒２内に先端筒４を摺動自在に収納することが出来る。そして、伸長時には先端筒４と元筒２に設けられた解除自在のロック機構により先端筒４と元筒２はロックされて伸長状態で固定される一方、収縮させる際にはロック機構のロックを解除して先端筒４を摺動させて収納している。解除自在のロック機構の構成は特に限定されず、公知のロック機構を用いることが出来る。
【００１８】
先端筒４の先端にはトップボール４１がネジ式等により装着され、元筒２の後端にはエンドキャップ２１がネジ式等により装着されている。又、先端筒４の後端の外側面には図示しない凸状のストッパーが、元筒２の先端の内側面にはストッパーを係止する図示しない凸状の係止部が設けられている。このような構成により、警棒１の伸長時に、ストッパーが係止部に係止され、先端筒４の抜けを防止している。
【００１９】
鍔５は、図４〜図８によく示すように、台座部５１、固定鍔部５２及び回転鍔部５３を備えて構成され、夫々に元筒２が貫通し、エンドキャップ２１側から台座部５１、回転鍔部５３、固定鍔部５２の順に同軸で積層され、台座部５１と固定鍔部５２は元筒２に固定される一方、回転鍔部５３は元筒２の軸を中心に回転自在に設置されている。更に、鍔５は、回転鍔部５３を一回転方向に押す押圧機構と、回転鍔部５３の位置を維持する解除可能な位置維持機構と、回転鍔部５３の回転を防止する回転防止機構を備えている。
【００２０】
台座部５１は平面視で中心部に元筒２を挿通する円形の孔５１１が形成され、孔５１１の内側面には元筒２の外表面に形成されたねじ山２１と螺合するねじ山５１２が形成されている。又、台座部５１にはピン５１５を備えたバンド取付け部５１３が設けられ、バンド取付け部５１３に携帯用バンド５１９が挿通されて取り付けられている。
【００２１】
台座部５１の回転鍔部５３に対向する上面５１４には、孔５１１と同心円上に円弧状のバネ設置溝３１が形成され、バネ設置溝３１に回転鍔部５３を一回転方向に押す、言い換えれば付勢する、例えば圧縮バネ等の弾性体、一具体例としてコイルスプリング５９が挿入設置されている。コイルスプリング５９は伸長時にバネ設置溝３１の両端に当接してもよいがしなくてもよい。バネ設置溝３１の長さは回転鍔部５３の回転角度及びコイルスプリング５９の伸縮時の長さに応じて形成すればよいが、固定鍔部５２と回転鍔部５３は、鍔５が一字状から十字状になることが好ましいので、相対的には９０度の移動が望ましい。従って、孔５１１の中心からバネ設置溝３１の両端を結んだ角度は９０度以上が好ましく、更には、コイルスプリング５９の収縮時の長さを考慮すると１００度〜２４０度が好ましい。コイルスプリング５９の一端５９１は後述する対向する回転鍔部５３に設けたバネ用突起５３１と当節し押圧し合うので、コイルスプリング５９の少なくともバネ用突起５３１と当接する一端には合成樹脂製等の保護部材５９９を設けることが好ましい。
【００２２】
又、台座部５１の上面５１４には、孔５１１の中心からバネ設置溝３１の反対側に、後述する対向する回転鍔部５３に設けたガイド突起５３２が挿入されて回転鍔部５３の回動をガイドする、孔５１１と同心円上の円弧状のピン用ガイド溝３２が形成されている。このガイド突起５３２とピン用ガイド溝３２は第一の回転防止機構を構成するものでもある。ピン用ガイド溝３２の長さは特に限定されずに、回転鍔部５３の回転角度に応じて形成すればよいが、固定鍔部５２と回転鍔部５３は、鍔５が一字状から十字状になることが好ましいので、相対的には９０度の移動が望ましい。従って、孔５１１の中心からピン用ガイド溝３２の両端を結んだ角度は９０度が好ましい。
【００２３】
尚、バネ設置溝３１とピン用ガイド溝３２は、回転鍔部５３の回転の安定性、又、台座部５１の軽量化、強度の維持から、夫々同心円上の重ならない場所に形成することが好ましいが、同心円上ではなく並列して設けてもよい。
【００２４】
固定鍔部５２及び回転鍔部５３は平面視略ひし形で略同形状である。固定鍔部５２は、回転鍔部５３方向へ突出し上下が開放した円筒状の筒状固定部６を備え、筒状固定部６は内側面６０に元筒２の外表面に形成されたねじ山２１と螺合するねじ山６１が形成されている。固定鍔部５２の回転鍔部５３と対向する下面５２１にはボール挿入孔３３が形成されている。ボール挿入孔３３は後述するボール７及びコイルスプリング７０と共に鍔５を閉じている状態及び開いている状態に維持する位置維持機構のための構成である。一の状態を維持するために１組のボール挿入孔３３とボール７でもよいが、回転鍔部５３位置の確実な維持のために複数組を備えることが好ましく、特に筒状固定部６を中心として１８０度の間隔で２組を設けることが好ましい。従って、鍔５が閉じた状態と開いた状態で相対的に９０度の移動がなされる場合、閉じた状態用のボール挿入孔３３と開いた状態のボール挿入孔３３は筒状固定部６を中心として９０度の間隔で４個を設けることが好ましい。
【００２５】
又、固定鍔部５２の下面５２１には、鍔５が閉じた状態の時にボール７が挿入されるボール挿入孔３３と開いた状態の時にボール７が挿入されるボール挿入孔３３の間に、ボール７の移動時にボール７の一部が挿入されて移動をガイドするため、筒状固定部６と同心円上に円弧状のボールガイド溝３４が形成されている。
【００２６】
回転鍔部５３は、平面視で中心部に固定鍔部５２の筒状固定部６及び元筒２を挿通する円形の孔５３０が形成されている。台座部５１に対向する回転鍔部５３の下面５３４には、台座部５１方向に延びるバネ用突起５３１とガイド突起５３２が設けられている。バネ用突起５３１とガイド突起５３２は回転鍔部５３に形成した孔５３９に嵌め込んで設置している。バネ用突起５３１は台座部５１のバネ設置溝３１に挿入され、コイルスプリング５９の一端５９１又は保護部材５９９と当接する部材であり、ガイド突起５３２は台座部５１のガイド溝３２に挿入され回転鍔部５３の回動の安定性の確保及び回動角度の規定をするための部材である。バネ用突起５３１とガイド突起５３２は、夫々バネ設置溝３１とガイド溝３２に対応した位置に設置すればよい。このように回転鍔部を一回転方向に押す押圧機構は、バネ用突起５３１と圧縮バネ等の弾性体、一具体例としてコイルスプリング５９を備えて構成されている。
【００２７】
固定鍔部５２及び回転鍔部５３は、夫々両端に護身部１０の先端方向に突出する係止突起５２３、５３３が形成されている。この構成は第二の回転防止機構であり、鍔５を閉じた際に、固定鍔部５２及び回転鍔部５３は係止突起５２３、５３３同士が衝突して、それ以上の回転鍔部５３の回転を防止している。尚、回転鍔部５３の係止突起５３３は位置維持機構の解除にも用いられる。
【００２８】
又、回転鍔部５３には、圧縮バネ等の弾性体、一具体例としてコイルスプリング７０及びコイルスプリング７０上に設置されたボール７が挿入設置され、ボール７が進入可能なボール収納孔３５が形成されている。ボール収納孔３５及びボール７の設置数は限定されず、固定鍔部５２のボール挿入孔３３の設置数に対応すればよい。具体的には、孔５３０の中心を挟んで対向する１８０度の位置にボール収納部３５に半球部分が収納されたボール７が設置されている。
【００２９】
このように、ボール７、コイルスプリング７０及びボール挿入孔３３で回転鍔部５３の位置を維持する解除可能な第一の位置維持機構が構成されている。位置維持機構の解除により、回転鍔部５３の位置固定を解除することが出来る。そして、第一の位置維持機構が回転鍔部５３の固定鍔部５２に対する相対的位置を維持する力はコイルスプリング５９の押圧力より勝っている。
【００３０】
台座部５１は孔５１１に元筒２が挿通されて、元筒２のねじ山２１に螺合した状態で元筒２に固定設置され、固定鍔部５２は筒状固定部６に元筒２が挿通されて、元筒２のねじ山２１に螺合した状態で元筒２に固定設置され、回転鍔部５３は孔５３０に固定鍔部５２の筒状固定部６が挿通されると共に、台座部５１と固定鍔部５２に挟まれて、元筒２の軸方向と直交する想像上の面上を孔５３０の中心を中心として回転可能に設置されている。
【００３１】
次に、鍔５の動作について説明する。鍔５の収納時、即ち固定鍔部５２及び回転鍔部５３が重なり、平面視で一字状、言い換えれば菱形の状態では、図４（ｃ）に示すように、バネ用突起５３１がコイルスプリング５９を圧縮した状態で、コイルスプリング５９がバネ用突起５３１そして回転鍔部５３を一回転方向に押した状態である一方、位置決め突起５３２がピン用ガイド溝３２の一端に当接して回転鍔部５３のそれ以上の回転及びコイルスプリング５９の圧縮を防止している。
【００３２】
同時に、図４（ａ）及び図８に示すように、ボール７がコイルスプリング７０に押されて一部が固定鍔部５２のボール挿入孔３３に挿入され、固定鍔部５２と回転鍔部５３間に挟まり、コイルスプリング５９の伸長、即ち回転鍔部５３の回動を防止している。位置維持機構が回転鍔部５３の位置を維持した状態である。
【００３３】
このような状態の下、回転鍔部５３の係止突起５３３を使用者が回転鍔部５３の回転方向に押圧することにより、ボール７が固定鍔部５２のボール挿入孔３３の端部で押されてコイルスプリング７０が縮小してボール挿入孔３３から脱し、位置維持機構が解除され、固定鍔部５２と回転鍔部５３の固定が解除される。
【００３４】
すると、位置維持機構が回転鍔部５３の位置を維持する力よりコイルスプリング５９の押圧力が勝って、コイルスプリング５９が伸長して、バネ用突起５３１を押圧してバネ設置溝３１内を移動させる。同時にガイド突起５３２がピン用ガイド溝３２内を他端部方向へ移動する。この際にボール７はボールガイド溝３４に一部が挿入されつつ移動する。このようにして回転鍔部５３を回動させ、９０度回転した時に、図６に示すように、位置決め突起５３２がピン用ガイド溝３２の他端部に当接して回転鍔部５３の回転を止めて、固定鍔部５２と回転鍔部５３は平面視で十字状になる。
【００３５】
同時に、図８に示すように、ボール７がコイルスプリング７０に押されて一部が固定鍔部５２のボール挿入孔３３に挿入され、固定鍔部５２と回転鍔部５３間に挟まり、回転鍔部５３の回転を防止し、固定鍔部５２及び回転鍔部５３の十字状を維持する。位置維持機構が回転鍔部５３の位置を維持した状態である。
【００３６】
十字状の鍔５を閉じて一字状にする時には、使用者が回転鍔部５３の係止突起５３３を回転方向に押圧することにより、位置維持機構が解除され、即ちボール７が固定鍔部５２のボール挿入孔３３の端部で押されてコイルスプリング７０が縮小してボール挿入孔３３から脱し、固定鍔部５２と回転鍔部５３の固定が解除される。
【００３７】
そして、バネ用突起５３１がコイルスプリング５９を押圧してバネ設置溝３１内で収縮させる。同時にガイド突起５３２がピン用ガイド溝３２内を他端部方向へ移動する。この際にボール７はボールガイド溝３４に一部が挿入されつつ移動する。このようにして回転鍔部５３を回転させ、９０度回転した時に、図４に示すように、位置決め突起５３２がピン用ガイド溝３２の一端部に当接して回転鍔部５３の回転を止めて、固定鍔部５２と回転鍔部５３は平面視で一字状になる。
【００３８】
同時に、図８に示すように、ボール７がコイルスプリング７０に押されて一部が固定鍔部５２のボール挿入孔３３に挿入され、固定鍔部５２と回転鍔部５３間に挟まり、回転鍔部５３の回転を防止し、固定鍔部５２及び回転鍔部５３の一字状を維持する。位置維持機構が回転鍔部５３の位置を維持した状態である。
【００３９】
上記の実施の形態においては、位置維持機構はボール７とボール７を固定鍔部５２方向に押す弾性体の一例としてのコイルスプリング７０と、固定鍔部５２に形成されたボールの一部が挿入されるボール挿入孔３３で構成したが、これらの構成に加えて、図９に示すように、第二の構成を加えてもよい。即ち、回転鍔部５３に形成された収納部５３７内で支持部８０で回動板８１を軸止し、圧縮バネ等の弾性体、一具体例としてコイルスプリング８６で回動板８１の一端を固定鍔部５２方向へ押し、回動板８１の一端に形成した突起８３を固定鍔部５２の凹部５２７へ挿入させて回転鍔部５３の回転を阻止している。
【００４０】
この場合、ボール７、コイルスプリング７０、ボール挿入孔３３及び上記第二の構成が回転鍔部５３の位置を維持する力はコイルスプリング５９の押圧力より勝っている。そして、回動板８１の一端に形成した収納部５３７から突出したボタン８８を押すことにより、突起８３を凹部５２７から抜いて突起８３と固定鍔部５２との係合を解除する。すると、位置維持機構の回転鍔部５３の位置を維持する力よりコイルスプリング５９の押圧力が勝って、回転鍔部５３は回動を開始する。このような構成によれば、ボタン８８の操作により回転鍔部５３を回転させて鍔５を十字状に出来るので、操作がより容易であり、迅速に鍔５を十字状に出来る。
【産業上の利用可能性】
【００４１】
以上のような本発明によれば、警棒に新たな機能を付加することによって、警棒の使い勝手が良くなり、警棒の新たな需要が喚起され、製造の増加を期待できる。又、警備産業においても本発明の便利な警棒の使用がなされる。
【符号の説明】
【００４２】
１      警棒
１０    護身部
１１    グリップ部
２      元筒
２１    エンドキャップ
３１    バネ設置溝
３２    ピン用ガイド溝
３３    ボール挿入孔
３４    ボールガイド溝
４      先端筒
４１    トップボール
５      鍔
５１    台座部
５１９  携帯用バンド
５２    固定鍔部
５２３  係止突起
５３    回転鍔部
５３１  バネ用突起
５３２  ガイド突起
５３３  係止突起
５９    コイルスプリング
６      筒状固定部
７      ボール
７０    コイルスプリング
【図１】
0006580986.tif 000002
【図２】
0006580986.tif 000003
【図３】
0006580986.tif 000004
【図４】
0006580986.tif 000005
【図５】
0006580986.tif 000006
【図６】
0006580986.tif 000007
【図７】
0006580986.tif 000008
【図８】
0006580986.tif 000009
【図９】
0006580986.tif 000010